(57)【要約】【課題】故障により停止した故障車両を遠隔から操作してドアロックを解除する。【解決手段】遠隔操作管理サーバ１０１は、故障車両１１０の操作を許可するためのＩＤとパスワードを故障車両管理データベース１０３に記憶しておく。故障車両１１０の修理を依頼された修理業者の端末１２２から送信されたＩＤとパスワードがデータベースに記憶されているものと一致するかを判定する。一致すれば、修理業者の端末１２２から送信されたドアロックの解除指示を故障車両１１０に送信する。故障車両１１０は、ドアロックの解除指令を受信して、ドアロックを解除する。【選択図】  図１
2004299587.tif 000002
【特許請求の範囲】
【請求項１】
車両を遠隔から故障診断する遠隔故障診断システムであって、
前記車両において取得された車両データを受信する車両データ受信手段と、
前記受信された車両データに基づいて前記車両に故障が発生しているかを判定する故障判定手段と、
前記車両に故障が発生していると判定されると、前記車両のユーザに対して故障通知を送信する故障通知送信手段と、
前記故障通知を受信したユーザの端末から修理要求メッセージを受信する修理要求受信手段と、
前記修理要求メッセージを受信すると前記車両の修理を担当する修理業者の端末に対して該車両のドアのアンロックを許可するための許可情報を送信する許可送信手段とを含むことを特徴とする遠隔故障診断システム。
【請求項２】
前記修理要求メッセージを受信すると、前記車両の修理を担当する修理業者の端末に対して修理依頼メッセージを送信する修理依頼送信手段をさらに含む請求項１に記載の遠隔故障診断システム。
【請求項３】
前記許可情報に含めることのできる第１の認証情報を記憶する認証情報記憶手段と、
前記修理依頼メッセージにより車両の修理を依頼された修理業者の端末から第２の認証情報を受信する認証情報受信手段と、
前記認証情報記憶手段から読み出した第１の認証情報と、前記認証情報受信手段により受信された第２の認証情報とが一致するかを判定する判定手段と、
前記第１の認証情報と前記第２の認証情報とが一致すると、前記修理業者の端末から車両の操作指示を受信する操作指示受信手段と、
前記受信された操作指示に対応する制御命令を前記車両に対して送信する制御命令送信手段とを含む請求項２に記載の遠隔故障診断システム。
【請求項４】
前記制御命令には、前記車両のドアをアンロックさせるためのアンロック命令、前記車両のイグニッション電源をオンにするためのＩＧオン命令、前記車両のアクセサリー電源をオンにするためのＡＣＣオン命令のうち少なくともひとつが含まれている請求項３に記載の遠隔故障診断システム。
【請求項５】
前記修理業者の端末による制御命令の実行結果を表す制御結果情報を前記車両から受信する制御結果受信手段と、
前記受信された制御結果を前記ユーザの端末に対して送信する制御結果送信手段とをさらに有する請求項３又は４のいずれかに記載の遠隔故障診断システム。
【請求項６】
前記認証情報受信手段が、前記ユーザの端末から前記第２の認証情報を受信すると、前記判定手段は前記受信された第２の認証情報と前記記憶されている第１の認証情報とが一致するかを判定し、一致する場合に前記操作指示受信手段は前記ユーザの端末から操作指示を受信し、前記制御命令送信手段は前記ユーザの端末からの操作指示に対応する制御命令を送信することを特徴とする請求項３乃至５のいずれかに記載の遠隔故障診断システム。
【請求項７】
前記修理業者による車両の操作を禁止するための禁止指示を前記ユーザが携帯する端末又は前記車両に搭載されているユーザの端末から受信する禁止指示受信手段と、
前記禁止指示が受信されると前記第１の認証情報を前記認証情報記憶手段から削除するか又は前記修理業者の端末から受信された操作指示に対応する制御命令の送信を禁止するよう制御する禁止制御手段とをさらに有する請求項１乃至６のいずれかに記載の遠隔故障診断システム。
【請求項８】
前記車両の現在位置を表す車両位置情報を受信する位置情報受信手段と、
前記受信された車両位置情報を前記修理業者の端末に送信する送信手段とをさらに有する請求項１乃至７のいずれかに記載の遠隔故障診断システム。
【請求項９】
修理業者が開設しているサービス工場の位置を表す位置情報を記憶するデータベースと、
前記車両の現在位置を表す車両位置情報を受信する位置情報受信手段と、
前記受信された車両位置情報に基づいて、前記車両の周辺にサービス工場を開設している修理業者を前記データベースから抽出する抽出手段とをさらに有する請求項１乃至７のいずれかに記載の遠隔故障診断システム。
【請求項１０】
前記抽出された修理業者に対して修理を依頼するか否かを問うための修理依頼メニューを、前記車両のユーザの端末に送信する修理依頼メニュー送信手段をさらに備え、
前記抽出された修理業者のうち何れか一つを指定する指定情報を含む修理要求メッセージを前記ユーザの端末から受信すると、前記許可送信手段は、該修理業者に対して、前記許可情報として第１の認証情報を送信することを特徴とする請求項９に記載の遠隔故障診断システム。
【請求項１１】
前記抽出された修理業者の端末に対して、前記車両の修理を受託するか否かを問うための受託メニューを送信する受託メニュー送信手段をさらに備え、
前記抽出された修理業者の端末から、前記車両の修理を受託するとの情報を受信すると、前記許可送信手段は、該修理業者に対して、前記第１の認証情報を送信することを特徴とする請求項９に記載の遠隔故障診断システム。
【請求項１２】
前記抽出された修理業者の端末に対して、前記車両の修理を受託するか否かを問うための受託メニューを送信する受託メニュー送信手段と、
前記抽出された修理業者の端末から、前記車両の修理を受託するとの情報を受信すると、該修理業者に対して修理を依頼するか否かを問う修理依頼メニューを、前記車両のユーザの端末に送信する修理依頼メニュー送信手段とをさらに備え、
前記修理要求メッセージとして、前記修理業者への修理依頼情報を前記ユーザの端末から受信すると、前記許可送信手段は、該修理業者の端末に対して、前記許可情報として第１の認証情報を送信することを特徴とする請求項９に記載の遠隔故障診断システム。
【請求項１３】
前記許可送信手段は、前記第１の認証情報と前記端末から受信した第２の認証情報とが一致すると、該端末に対して、遠隔操作の選択メニューを形成するための情報を送信することを特徴とする請求項３乃至１２の何れかに記載の遠隔故障診断システム。
【請求項１４】
車両の故障を診断するとともに該車両の操作を遠隔から許可する遠隔故障診断システムであって、
前記車両の現在位置を表す車両位置情報を受信する手段と、
前記受信された車両位置情報を記憶する手段と、
前記車両の修理を依頼された修理業者の移動端末から該移動端末の端末位置情報を受信する手段と、
前記受信された端末位置情報と前記車両位置情報とに基づいて、前記修理業者が前記車両の放置現場に到着したか否かを判定する手段と、
前記修理業者が前記車両の放置現場に到着したと判定されると、前記修理業者の移動端末に対し、前記車両を遠隔から操作するための遠隔操作メニューを送信する手段と、
前記移動端末上に表示された遠隔操作メニューに応じて選択された操作指示を受信する手段と、
前記受信された操作指示に対応する制御命令を前記車両に送信する手段とを有する遠隔故障診断システム。
【請求項１５】
請求項３乃至請求項１４のいずれか１項に記載の遠隔故障診断システムを通じて遠隔操作される車両であって、
前記車両の故障診断に必要となる車両データを取得する手段と、
前記取得された車両データを前記遠隔故障診断システムに送信する手段と、
前記遠隔故障診断システムを通じて前記制御命令を受信する手段と、
前記受信された制御命令に応じて前記車両に搭載されている電子ユニットを制御する制御手段とを有することを特徴とする車両。
【請求項１６】
前記車両の現在位置を検出する手段と、
前記検出された現在位置を表す車両位置情報を前記遠隔故障診断システムに送信する手段とをさらに有することを特徴とする請求項１５に記載の車両。
【請求項１７】
前記制御手段による制御結果を前記遠隔故障診断システムに送信する手段をさらに有することを特徴とする請求項１５又は１６に記載の車両。
【請求項１８】
車両を遠隔から故障診断する遠隔故障診断方法であって、
前記車両において取得された車両データを受信するステップと、
前記受信された車両データに基づいて前記車両に故障が発生しているかを判定するステップと、
前記車両に故障が発生していると判定されると、前記車両のユーザに対して故障通知を送信するステップと、
前記故障通知を受信したユーザの端末から修理要求メッセージを受信するステップと、
前記修理要求メッセージを受信すると前記車両の修理を担当する修理業者の端末に対して該車両の操作を許可するための操作許可情報を送信するステップとを含むことを特徴とする遠隔故障診断方法。
【請求項１９】
故障修理の対象となる車両の遠隔操作するための遠隔故障診断方法であって、
前記車両の現在位置を表す車両位置情報を受信するステップと、
前記受信された車両位置情報を記憶するステップと、
前記車両の修理を依頼された修理業者の移動端末から該移動端末の端末位置情報を受信するステップと、
前記受信された端末位置情報と前記車両位置情報とに基づいて、前記修理業者が前記車両の放置現場に到着したか否かを判定するステップと、
前記修理業者が前記車両の放置現場に到着したと判定されると、前記修理業者の移動端末に対し、前記車両を遠隔から操作するための遠隔操作メニューを送信するステップと、
前記移動端末上に表示された遠隔操作メニューに応じて選択された操作指示を受信するステップと、
前記受信された操作指示に対応する制御命令を前記車両に送信するステップとを有する遠隔故障診断方法。
【請求項２０】
車両を遠隔から故障診断するためのコンピュータプログラムであって、
前記車両において取得された車両データを受信するステップと、
前記受信された車両データに基づいて前記車両に故障が発生しているかを判定するステップと、
前記車両に故障が発生していると判定されると、前記車両のユーザに対して故障通知を送信するステップと、
前記故障通知を受信したユーザの端末から修理要求メッセージを受信するステップと、
前記修理要求メッセージを受信すると前記車両の修理を担当する修理業者の端末に対して該車両の操作を許可するための操作許可情報を送信するステップとをコンピュータにより実行させるためのコンピュータプログラム。
【請求項２１】
故障修理の対象となる車両の遠隔操作するためのコンピュータプログラムであって、
前記車両の現在位置を表す車両位置情報を受信するステップと、
前記受信された車両位置情報を記憶するステップと、
前記車両の修理を依頼された修理業者の移動端末から該移動端末の端末位置情報を受信するステップと、
前記受信された端末位置情報と前記車両位置情報とに基づいて、前記修理業者が前記車両の放置現場に到着したか否かを判定するステップと、
前記修理業者が前記車両の放置現場に到着したと判定されると、前記修理業者の移動端末に対し、前記車両を遠隔から操作するための遠隔操作メニューを送信するステップと、
前記移動端末上に表示された遠隔操作メニューに応じて選択された操作指示を受信するステップと、
前記受信された操作指示に対応する制御命令を前記車両に送信するステップとをコンピュータにより実行させるためのコンピュータプログラム。
【発明の詳細な説明】
【０００１】
【発明の属する技術分野】
本発明は、車両の故障を診断するとともにその車両の操作を遠隔から業者等に許可する技術に関する。
【０００２】
【従来の技術】
従来、車両の故障診断を行なう種々の技術が知られている（特許文献１）。この特許文献１には、ディーラーのサービス工場等に配置されたセレクトモニタ（故障診断装置）を用いて車両の故障診断を行なうようにした故障診断装置が開示されている。即ち、この公報に記載の発明は、まず、車載のセンサ・スイッチ類やアクチュエータ類のデータ等の車両データを記憶する電子制御装置が車両に搭載され、一方、ディーラーのサービス工場等には、セレクトモニタ（故障診断装置）が配置されている。このセレクトモニタは、この車載の電子制御装置からこれらの各種の車両データである内部データを読み出すと共に、自らも計測機能を有し、この自己計測した車両のデータと車載の電子制御装置から読み出した内部データとを同時に表示させることで、対応するデータの比較検討が容易に行なえるようになっている。このようにして、この公報記載の故障診断装置は、車載の電子制御装置から読み出したデータの妥当性を容易に判断可能とし、診断効率を向上させるようにしている。
【０００３】
特許文献２には、車両の自己診断情報をイグニッション・キーに保存させ、このイグニッション・キーから読み出した診断情報から故障箇所、故障状態等を詳細に解析するようにした故障検出装置が開示されている。具体的には、この公報に記載の発明では、イグニッション・キーをシリンダ錠から取り出すとき、車両の送信機が自己診断情報を出力し、イグニッション・キーの受信機がこの情報を受信し、車両の自己診断情報がイグニッション・キーのメモリに記憶される。この自己診断情報を保存したイグニッション・キーから、キー情報リーダを使ってその診断情報が読み出され、パソコンに入力され、このパソコンにより故障箇所・故障状態等を詳細に検出するようになっている。この公報記載の発明によれば、イグニッション・キーは車両から取り外して携帯する唯一の部品であるから、このキーを預かったディーラーが、キーから自己診断情報を読み出して故障個所、故障状態等を検出することができる。よって、故障修理や交換部品などに必要な費用、車両の納期などについて直ちに明示することができるといった効果がある。
【０００４】
特許文献３には、車両の自己診断による異常に基づく故障診断情報が車両から基地局側に無線にて送信され、その後、その故障診断情報に対応した車両の異常が解消（修復）されたときには、その異常解消情報（修理済コード）が、車両から基地局へ無線にて送信されるようにした車両診断システムが開示されている。
この公報記載の発明によれば、基地局にて車両の故障診断情報が受信され、その後に対応する修理済コードが受信されたときには、基地局からユーザに対する車両の点検・修理・整備に関する要請を省略することができ、車両と基地局との相互間の無駄な処理を無くすことができるようになっている。
【０００５】
しかしながら、上述した従来技術は、いずれも、車両自身が故障診断機能を備え、この自己故障診断機能により得られた故障診断情報を、何らかの手段、例えば、故障診断装置（セレクトモニタ）、イグニッション・キー、基地局への無線による送信を介して、ディーラーを含む外部に連絡するようにしたものにすぎない。
【０００６】
それに対して、特許文献４では、ネットワークを介して故障した車両と接続し、その故障個所を診断する故障診断システムが提案されている。この従来技術によれば、故障診断システムと車両とを遠隔的に接続することで、顧客がサービス工場に出向かなくとも、車両が故障しているかどうかや故障個所を把握できるため、大変便利である。
【０００７】
【特許文献１】
特開平１０−１００１３号公報
【特許文献２】
特開平１１−５１８１７号公報
【特許文献３】
特開平１１−２２３５７８号公報
【特許文献４】
特開２００２−２２８５５２号公報。
【０００８】
【発明が解決しようとする課題】
ところで、故障が発生すると、車両が停止してしまったり、走行することが困難な状況に陥ってしまったりすることがある。そのような場合に、路肩や駐車場など通行の妨げにならないところへと故障車両を移動させた後、修理業者やレッカー移動業者が到着するまで、ドライバが車両内で待機することになる。
【０００９】
しかしながら、ドライバの置かれた状況次第では、車両に待機できない場合もある。例えば、結婚式のために空港へ向かっているときなどは、故障車両を置いたままにしてでも先を急ぎたいと思うのが心情であろう。
【００１０】
そのような場合に、置いたままにされた故障車両の移動や修理を依頼するたことになるが、そのためには、あらかじめ車両内にキーを残し、かつ、ドアをアンロック（解鍵）しておかなければ、修理業者等が車両を移動するのは困難である。
【００１１】
しかしながら、故障車両とはいえ、キーを車両内に残し、かつ、ドアをアンロックして車両を放置しておくことはセキュリティー上好ましくはない。例えば、修理業者等が到着する前に、車両盗難に合う危険性や、キーを複製されてしまう危険性、及び車両内に保管しておいた物品を盗難される危険性もある。
【００１２】
従って、キーはドライバが抜いて所持しつつ、その一方で信頼の置ける者が故障車両に急行して、ドアをアンロックして車両を移動したり修理したりすることが望ましい。
【００１３】
そこで、本発明では、置いたままにされた故障車両のセキュリティーを担保しつつ、修理業者に故障を依頼できるようにすることを目的とする。
【００１４】
【課題を解決するための手段】
上記の目的を達成するため、本発明に係る遠隔故障診断システムは、以下の構成を特徴とする。
【００１５】
本願の第１の発明によれば、車両の故障を遠隔診断し当該車両の修理を担当する業者にドアのアンロック等の操作を許可する遠隔故障診断システムが提供される。例えば、車両において取得された車両データを受信する車両データ受信手段と、受信された車両データに基づいて前記車両に故障が発生しているかを判定する故障判定手段と、車両に故障が発生していると判定されると、車両のユーザに対して故障通知を送信する故障通知送信手段と、故障通知を受信したユーザの端末から修理要求メッセージを受信する修理要求受信手段と、修理要求メッセージを受信すると車両の修理を担当する修理業者の端末に対して該車両のドアのアンロックを許可するための許可情報を送信する許可送信手段とを含む。
【００１６】
また、上述の遠隔故障診断システムは、修理要求メッセージを受信すると、車両の修理を担当する修理業者の端末に対して修理依頼メッセージを送信する修理依頼送信手段をさらに含んでもよい。
【００１７】
また、上述したいずれかの遠隔故障診断システムは、前記許可情報に含めることのできる第１の認証情報を記憶する認証情報記憶手段と、前記修理依頼メッセージにより車両の修理を依頼された修理業者の端末から第２の認証情報を受信する認証情報受信手段と、前記認証情報記憶手段から読み出した第１の認証情報と、前記認証情報受信手段により受信された第２の認証情報とが一致するかを判定する判定手段と、前記第１の認証情報と前記第２の認証情報とが一致すると、前記修理業者の端末から車両の操作指示を受信する操作指示受信手段と、前記受信された操作指示に対応する制御命令を前記車両に対して送信する制御命令送信手段とを含むようにしてもよい。
【００１８】
また、前記制御命令には、例えば、前記故障車両のドアをアンロックさせるためのアンロック命令、前記故障車両のイグニッション電源をオンにするためのＩＧオン命令、前記故障車両のアクセサリー電源をオンにするためのＡＣＣオン命令のうち少なくともひとつが含まれていてもよい。
【００１９】
また、上述したいずれかの遠隔故障診断システムは、前記車両において制御命令が実行された結果を表す制御結果情報を前記車両から受信する制御結果受信手段と、前記受信された制御結果を前記車両のユーザの端末に対して送信する制御結果送信手段とをさらに有してもよい。
【００２０】
また、上述したいずれかの遠隔故障診断システムは、前記認証情報受信手段が、前記故障車両のユーザの端末から前記第２の認証情報を受信すると、前記判定手段は前記受信された第２の認証情報と前記記憶されている第１の認証情報とが一致するかを判定し、一致する場合に前記操作指示受信手段は前記ユーザの端末から操作指示を受信し、前記制御命令送信手段は前記ユーザの端末からの操作指示に対応する制御命令を送信するようにしてもよい。
【００２１】
また、上述したいずれかの遠隔故障診断システムは、前記修理業者による車両の操作を禁止するための禁止指示を前記ユーザが携帯する端末又は前記車両に搭載されているユーザの端末から受信する禁止指示受信手段と、前記禁止指示が受信されると前記第１の認証情報を前記認証情報記憶手段から削除するか又は前記修理業者の端末から受信された操作指示に対応する制御命令の送信を禁止するよう制御する禁止制御手段とをさらに有してもよい。
【００２２】
また、上述したいずれかの遠隔故障診断システムは、車両の現在位置をあらわす車両位置情報を受信する位置情報受信手段と、前記受信された車両位置情報を前記修理業者の端末に送信する送信手段とをさらに有してもよい。
【００２３】
また、上述したいずれかの遠隔故障診断システムは、修理業者が開設しているサービス工場の位置を表す位置情報を記憶するデータベースと、前記車両の現在位置を表す車両位置情報を受信する位置情報受信手段と、前記受信された車両位置情報に基づいて、前記車両の周辺にサービス工場を開設している修理業者を前記データベースから抽出する抽出手段とをさらに有してもよい。
【００２４】
また、上述したいずれかの遠隔故障診断システムは、前記抽出された修理業者に対して修理を依頼するか否かを問うための修理依頼メニューを、前記車両のユーザの端末に送信する修理依頼メニュー送信手段をさらに備え、前記抽出された修理業者のうち何れか一つを指定する指定情報を含む修理要求メッセージを前記ユーザの端末から受信すると、前記許可送信手段は、該修理業者に対して、前記許可情報として第１の認証情報を送信するようにしてもよい。
【００２５】
また、上述したいずれかの遠隔故障診断システムは、前記抽出された修理業者の端末に対して、前記車両の修理を受託するか否かを問うための受託メニューを送信する受託メニュー送信手段をさらに備え、前記抽出された修理業者の端末から、前記車両の修理を受託するとの情報を受信すると、前記許可送信手段は、該修理業者に対して、前記第１の認証情報を送信するようにしてもよい。
【００２６】
また、上述したいずれかの遠隔故障診断システムは、前記抽出された修理業者の端末に対して、前記車両の修理を受託するか否かを問うための受託メニューを送信する受託メニュー送信手段と、前記抽出された修理業者の端末から、前記車両の修理を受託するとの情報を受信すると、該修理業者に対して修理を依頼するか否かを問う修理依頼メニューを、前記車両のユーザの端末に送信する修理依頼メニュー送信手段とをさらに備え、前記修理要求メッセージとして、前記修理業者への修理依頼情報を前記ユーザの端末から受信すると、前記許可送信手段は、該修理業者の端末に対して、前記許可情報として第１の認証情報を送信してもよい。
【００２７】
また、上述したいずれかの遠隔故障診断システムは、前記第１の認証情報と前記端末から受信した第２の認証情報とが一致すると、該端末に対して、遠隔操作の選択メニューを形成するための情報を送信するメニュー送信手段をさらに有してもよい。
【００２８】
また、いずれかの遠隔故障診断システムは、前記第１の認証情報と前記第２の認証情報とが一致すると、前記修理業者の端末に対して、遠隔操作の選択メニューを形成するための情報を送信するメニュー送信手段をさらに有してもよい。
【００２９】
本発明の第２の観点によれば、故障修理の対象となる車両の故障の故障を診断するとともに該車両の操作を遠隔から許可する遠隔故障診断システムであって、前記故障車両の現在位置を表す車両位置情報を受信する手段と、前記受信された車両位置情報を記憶する手段と、前記故障車両の修理を依頼された修理業者の移動端末から該移動端末の端末位置情報を受信する手段と、前記受信された端末位置情報と前記車両位置情報とに基づいて、前記修理業者が前記故障車両の放置現場に到着したか否かを判定する手段と、前記修理業者が前記故障車両の放置現場に到着したと判定されると、前記修理業者の移動端末に対し、前記故障車両を遠隔から操作するための遠隔操作メニューを送信する手段と、前記移動端末上に表示された遠隔操作メニューに応じて選択された操作指示を受信する手段と、前記受信された操作指示に対応する制御命令を前記故障車両に送信する手段とを有する遠隔故障診断システムが提供される。
【００３０】
本発明の第３の観点によれば、上記の何れかの遠隔故障診断システムを通じて遠隔操作される車両であって、前記車両の故障診断に必要となる車両データを取得する手段と、前記取得された車両データを前記遠隔故障診断システムに送信する手段と、前記遠隔故障診断システムを通じて前記制御命令を受信する手段と、前記受信された制御命令に応じて前記車両に搭載されている電子ユニットを制御する制御手段とを有する車両が提供される。この車両は、さらに、前記車両の現在位置を検出する手段と、前記検出された現在位置を表す車両位置情報を前記遠隔故障診断システムに送信する手段と有してもよい。また、前記制御手段による制御結果を前記遠隔故障診断システムに送信する手段をさらに有してもよい。
【００３１】
尚、上述の目的は、上記の各構成を備える遠隔故障診断システムに対応する遠隔故障診断方法によっても達成される。
【００３２】
また、同目的は、上記遠隔故障診断システムに含まれる各手段を、コンピュータによって実現するためのプログラム、及びそのプログラムコードが格納されているコンピュータ読み取り可能な記憶媒体によっても達成される。
【００３３】
【発明の効果】
本発明によれば、故障した車両のセキュリティーを担保しつつ、修理業者への故障の依頼を実現する遠隔故障診断システム、遠隔故障診断方法及び車両が実現される。
【００３４】
即ち、請求項１、２、１４、１５、１８乃至２１に記載の発明によれば、予めＩＤとパスワードなどの許可情報を知らされている者に対してドアのアンロックを少なくとも含む遠隔操作を許容し、故障した車両のセキュリティーを担保しつつ、修理を依頼された者（車両の移動を依頼された者を含む。）が車両を遠隔操作できるようになる。
【００３５】
請求項３に記載の発明によれば、許可情報が正規のものでなければ遠隔操作を拒絶することで、故障した車両のセキュリティーを担保しつつ、修理を依頼された者（車両の移動を依頼された者を含む。）が車両を遠隔操作できるようになる。
【００３６】
請求項４に記載の発明によれば、ドアのアンロック、イグニッション電源のオン／オフ及びアクセサリー電源のオン／オフなどを修理業者の端末から実行できるようになるため、放置されていた故障車両の回収作業が可能となる。とりわけ、ドアを遠隔からアンロックできるようになるため、キーを車両に残しておく必要がなくなり、セキュリティーを向上させることができる。
【００３７】
請求項５及び１７に記載の発明によれば、遠隔操作による制御結果をユーザ（車両の所有者やドライバなど）に通知することで、ユーザは、放置してきた故障車両の状況を把握でき、安心感を得られる利点がある。
【００３８】
請求項６に記載の発明によれば、例えば、故障車両が修理業者のサービス工場に入庫された後は、ユーザだけが故障車両を遠隔から操作できるようにすることも可能になる。例えば、ドアのアンロックは修理業者も実行できるが、ＩＧオンなどの他の操作はユーザだけが指示してもよい。
【００３９】
請求項７に記載の発明によれば、ユーザ端末などから、業者等による遠隔操作を禁止することができるようになる。例えば、認証情報を盗まれた可能性があれば、遠隔操作を禁止してセキュリティーを確保できる。
【００４０】
請求項８及び１６に記載の発明によれば、故障車両が放置されている場所を修理業者が把握できるようになるため、放置現場に到着しやすくなろう。
【００４１】
請求項９及び１６に記載の発明によれば、故障車両の放置現場に近い修理業者が選定されるため、放置現場への到着時間は遠くの修理業者が駆けつける場合よりも一般には短くなり、修理業者にとっても都合がよい。また、ユーザにとっては早期に故障車両が修理業者に回収されることを期待できるといった安心感が得られよう。
【００４２】
請求項１０によれば、ユーザが修理業者を選定できるようになる。例えば、放置現場に近い業者がシステムにより提案された場合であって、日頃から付き合いがあり信頼もおいている他の業者を指定することが可能となる。よって、ユーザは知り合いの業者が修理を担当することで、より安心感を得られよう。
【００４３】
請求項１１に記載の発明によれば、故障車両の修理を担当可能かどうかを修理業者に問い合わせ、可能であれば認証情報を通知するため、修理を担当できる修理業者にのみ認証情報を公開することができる。また、放置現場に近い業者であっても都合が悪い場合には修理の依頼を断わることができ、都合の良い業者が修理を担当できる。また、修理の完了までの時間を短縮できる効果もあろう。
【００４４】
請求項１２によれば、修理を受託可能な業者で、かつ、ユーザにより承諾された業者が選定されることにより、信頼のある業者に対して確実に修理を依頼できるようになる。例えば、受託不能な業者に修理を依頼してしまい修理を断わられ、他の業者を探すといった手間を省けよう。
【００４５】
請求項１３に記載の発明によれば、業者やユーザなど車両を操作しようとする者の端末に対して遠隔操作メニューが表示されるため、業者のサービススタッフやユーザは、遠隔操作可能な内容を一目で把握でき、操作もしやすいといった効果がある。
【００４６】
請求項１４、１９及び２１に記載の発明によれば、業者が故障車両の放置現場に到着してから故障車両を遠隔操作できる。例えば、到着する前に誤ってドアがアンロックされてしまい、故障車両が盗難の危険にさらされるといったような危険性を低減できよう。
【００４７】
【発明の実施の形態】
以下、本発明に係る遠隔故障診断システムについての一実施形態を、図面を参照して詳細に説明する。なお、以下では、一見すると特許請求の範囲には記載されていないと思われる実施形態が存在するかもしれないが、これらは意識的に除外したものではない。例えば特許請求の範囲に記載の発明と均等であるため、あえて特許請求の範囲には記載していないこともある。
【００４８】
［第１の実施形態］
図１は、本実施形態に係る遠隔操作システムの構成例を示した図である。情報センター１００は、顧客の車両１１０やサービス工場１２０などから送信される各種の情報を蓄積するとともに、遠隔操作を仲介するコンピュータ群である。情報センター１００は、顧客の車両１１０、サービス工場１２０、顧客のユーザ端末１７０及びサービス担当者の端末１２２などとインターネット１３０やモバイル通信回線などを経由して接続している。
【００４９】
顧客の車両１１０は、発生した故障の内容、ユーザの情報及び現在位置を表す情報を情報センター１００に送信し、情報センター１００からドアのアンロックなどの制御命令を受信する。
【００５０】
サービス工場１２０は、いわゆる修理業者やディーラーの修理工場である。サービス工場１２０にはサービス工場用のクライアント装置１２１が設置されている。このクライアント装置１２１は、一種のコンピュータであり、ＣＰＵ、メモリ、ハードディス・クドライブ及び通信インタフェースなどを備えている。以下の説明では、フローチャートに対応するプログラムをＣＰＵが実行することにより、各種の処理が実行されるものとする。
【００５１】
情報センター１００には、故障車両を遠隔から操作するための遠隔操作管理サーバ１０１と、顧客（全ての顧客又は遠隔操作サービスの契約者）の情報を格納した顧客情報データベース１０２と、故障車両１１０に関する情報を格納する故障車両管理データベース１０３と、サービス工場の位置などに関する情報を格納するサービス工場データベース１０５と、地図データを格納した地図データベース１０６を含んでいる。
【００５２】
遠隔操作管理サーバ１０１は、一種のコンピュータであり、ＣＰＵ、メモリ、ハードディス・クドライブ及び通信インタフェースなどを備えている。以下の説明では、フローチャートに対応するプログラムをＣＰＵが実行することにより、各種の処理が実行されることになる。
【００５３】
この遠隔操作管理サーバ１０１により、例えば、ユーザの端末から修理要求メッセージを受信する修理要求受信手段（例：遠隔操作管理サーバ１０１のＣＰＵ、通信インタフェースなど）と、修理要求メッセージを受信すると車両の修理を担当する修理業者の端末に対して該車両のドアのアンロックを許可するための許可情報を送信する許可送信手段（例：遠隔操作管理サーバ１０１のＣＰＵ、通信インタフェースなど）を含む遠隔故障診断システムが実現される。また、故障車両１１０の操作を許可するための第１の認証情報（例：ＩＤやパスワードなど）を記憶する認証情報記憶手段（例：故障車両管理データベース１０３）と、前記故障車両１１０の修理を依頼された修理業者の端末（例：担当者端末１２２）から送信された第２の認証情報を受信する認証情報受信手段（例：遠隔操作管理サーバ１０１のＣＰＵ、通信インタフェースなど）と、前記第１の認証情報と前記第２の認証情報とが一致するかを判定する判定手段（例：遠隔操作管理サーバ１０１のＣＰＵ）と、前記第１の認証情報と前記第２の認証情報とが一致すると、前記修理業者の端末から送信された車両の操作指示（例：ドアのアンロックなど）を受信する操作指示受信手段（例：遠隔操作管理サーバ１０１のＣＰＵ、通信インタフェースなど）と、前記受信された操作指示に対応する制御命令を前記故障車両に対して送信する制御命令送信手段（例：遠隔操作管理サーバ１０１のＣＰＵ、通信インタフェースなど）とを有する遠隔故障診断システムが実現される。
【００５４】
図２は、本実施形態に係る車両の構成例を示したブロック図である。車両用クライアント装置２００は、ＣＰＵ、メモリなどからなるメインコントローラであり、各種制御ユニットやセンサーから制御データやセンサー出力を取得し、メモリに蓄積したり、蓄積した情報をモバイル端末（モバイル通信インタフェース）２５０や近距離無線通信インタフェース２５５を介して情報センター１００に送信したり、情報センター１００から遠隔制御命令を受信したりする。近距離無線通信インタフェース２２５は、無線ＬＡＮ、ブルートゥース及びＥＴＣ用の無線規格などを採用できる。
【００５５】
ボディー系システム２１０は、パワーウインドウユニット２１１、ヘッドライトユニット２１２、オーディオユニット２１３、エアコンユニット２１４、ワイパーユニット２１５及びドアロックユニット２１６などを含み、制御結果や電流・電圧などのデータを車両用クライアント装置２００へと出力する。
【００５６】
制御系システム２２０には、ブレーキがロックしないように制御するＡＢＳ（アンチロック・ブレーキ・システム）２２１、車両の挙動を制御するＤＳＣ（ダイナミック・スタビリティ・コントローラ）２２２、燃料の供給を制御するＥＧＩ（エレクトリック・ガス・インジェクション）２２３、自動変速機を制御するＥＡＴ（エレクトリック・オートマティック・トランスミッション）２２４及び自動走行などドライバの運転を補助するＩＣＣＷ（インテリジェント・クルーズ・コントロール＆ワーニング）２２５などを含み、車両用クライアント装置２００に対して制御結果などを通知する。
【００５７】
また車両には各種のセンサー群が搭載されている。例えば、ＧＰＳ（グローバル・ポジショニング・システム）衛星からの電波を受信して車両の現在位置を算出するＧＰＳセンサー２３１、渋滞情報などを受信するＶＩＣＳ情報受信機２３２、車両の速度を検出する車速センサー２３３、前方の車両など他の車両との距離を計測する車間距離センサー２３４、車両のヨーレートを検出するヨーレートセンサ２３５、車両の加速度を検出する加速度センサー、車両の操舵角を検出する操舵角センサ２３７、スロットルの開度を検出するスロットル開度センサー２３８、ブレーキの踏み込み圧力を検出するブレーキ圧センサー２３９、ウインカスイッチの動作状態を検出するウインカＳＷセンサ２４０、外気温を測定するための外気温センサー２４１及び雨が降っているか否かや雨量を測定するレインセンサ２４２などが車両に搭載されている。
【００５８】
ナビゲーション・コントローラ２６０は、ＧＰＳセンサー２３１からの測位データに基づいて、ハードディス・クドライブなどに記憶されている地図情報を検索し、現在位置の地図を表示する装置である。顧客たるドライバへの入出力装置２７０は、液晶ディスプレイなどの表示装置と音声主力装置などを含んでおり、ナビゲーション・コントローラ２６０からの地図データを出力したりする。
【００５９】
ユーザ端末１７０と、サービス担当者の端末１２２は、携帯電話や通信機能を備えたコンピュータなどであり、ＣＰＵ、ＲＡＭ、ＲＯＭ及び通信インタフェースなどを備え、後述のフローチャートに従った処理を実行する。
【００６０】
この図２に示された車両により、遠隔故障診断システム（例：遠隔操作管理サーバ１０１）を通じて遠隔操作される車両１１０であって、前記車両の故障診断に必要となる車両データを取得する手段（例：各種制御ユニット、センサーなど）と、前記取得された車両データを前記遠隔故障診断システムに送信する手段（例：モバイル通信インタフェース２５０や近距離無線通信インタフェース２５５など）と、前記遠隔故障診断システムを通じて前記制御命令（例：ドアのアンロック命令など）を受信する手段（例：モバイル通信インタフェース２５０や近距離無線通信インタフェース２５５など）と、前記受信された制御命令に応じて前記車両に搭載されている電子ユニット（例：ドアロック２１６）を制御する制御手段（例：クライアント装置２００のＣＰＵ）とを有する車両が提供される。この車両は、さらに、前記車両の現在位置を検出する手段（例：ＧＰＳセンサー２３１）と、前記検出された現在位置を表す車両位置情報を前記遠隔故障診断システムに送信する手段（例：モバイル通信インタフェース２５０や近距離無線通信インタフェース２５５など）と有してもよい。また、前記制御手段による制御結果を前記遠隔故障診断システムに送信する手段（例：モバイル通信インタフェース２５０や近距離無線通信インタフェース２５５など）をさらに有してもよい。
【００６１】
図３は、本実施形態にかかる顧客情報データベース１０２の構成例を示した図である。顧客情報データベース１０２には、顧客を識別するための顧客番号、顧客の指名、住所、電話番号、電子メールアドレス、顧客が所有している車両の車両番号及び車両型式などのデータが格納されている。
【００６２】
図４は、本実施形態にかかる故障車両管理データベース１０３の構成例を示した図である。故障車両管理データベース１０３には、故障車両の車両番号、車両型式、発生した故障の故障コード、故障車両が放置されている現場の位置情報、遠隔操作を許可するための認証ＩＤ、パスワード及び修理を担当する業者の名称などが格納される。
【００６３】
図５は、本実施形態にかかるサービス工場管理データベース１０５の構成例を示した図である。サービス工場管理データベース１０５には、サービス工場を識別するための工場番号、業者の名称、住所、電子メールアドレス、サービス工場の位置情報などが格納されている。
【００６４】
図６は、本実施形態に係る遠隔操作処理に関するフローチャートである。ステップＳ６００において、車両用クライアント装置２００は、故障診断処理を実行する。故障診断処理は、車両用クライアント装置２００内で実行してもよいし、以下で説明するように、情報センター１００に設けられた故障診断サーバ１０９により実行してもよい。なお、故障診断サーバ１０９は、遠隔操作管理サーバ１０１と一体化されていてもよいし、独立して設けられていてもよい。
【００６５】
図７は、本実施形態に係る遠隔故障診断システムの構成例を示す図である。遠隔故障診断システムは、故障診断サーバ１０９と、車両情報データベース１０４及び車両用クライアント装置２００とを備えている。この故障診断サーバ１０９と、遠隔操作管理サーバ１０１とは、同一のコンピュータシステムにより実現してもよいし、独立したコンピュータシステムとして実現してもよい。図８は、本実施形態に係る故障診断処理の例示的なフローチャートである。
なお、故障診断サーバ１０９により、車両において取得された車両データを受信する車両データ受信手段（例：故障診断サーバ１０９のＣＰＵと通信インタフェースなど）と、受信された車両データに基づいて車両に故障が発生しているかを判定する故障判定手段（例：故障診断サーバ１０９のＣＰＵ）と、車両に故障が発生していると判定されると車両のユーザに対して故障通知を送信する故障通知送信手段（例：故障診断サーバ１０９のＣＰＵと通信インタフェースなど）とを含む遠隔故障診断システムが実現される。
【００６６】
ステップＳ８００において、故障診断サーバ１０９は、故障診断処理のトリガーとなる故障診断要求と、車両用クライアント装置２００により各種のセンサーから収集されたセンサー出力や制御データなどを含む車両データとを故障診断対象車両１１０から受信する。
【００６７】
ステップＳ８０２において、故障診断サーバ１０９は、故障車両１１１の車両データ１０４ａを車両情報データベース１０４から読み出す。なお、故障車両１１１の車両データ１０４ａに代えて正常車両１１２の車両データ１０４ｂを読み出してもよい。あるいは両者とも読み出してもよい。故障車両の車両データ１０４ａは、サービス工場に入庫された故障車両１１１から、サービス工場用クライアント１２１が読み出し、車両情報データベース１０４に送信して格納したものである。また、正常車両の車両データ１０４ｂは、正常車両１１２に搭載されている車両用クライアント２００により取得され、車両情報データベース１０４に格納されたものである。
【００６８】
ステップＳ８０４において、故障診断対象車両１１０から受信した車両データを、車両情報データベース１０４から読み出した故障車両の車両データ１０４ａ及び／又は正常車両の車両データ１０４ｂと比較する。比較の結果、故障車両の車両データ１０４ａと同一又は類似の傾向があれば、故障が発生しているとしてステップＳ８０６に進む。一方、正常車両の車両データ１０４ｂと同一又は類似の傾向があれば、故障は発生していないとしてステップＳ８０８に進む。あるいは、故障車両の車両データ１０４ａと正常車両の車両データ１０４ｂとのうち、どちらにより類似しているかを判定してもよい。この判定の際には、相関処理により得られる相関値などにより判定してもよい。
【００６９】
ステップＳ８０６において、故障診断サーバ１０９は、発見された故障を表す故障コードなどを記載した診断結果を作成し、故障診断対象車両１１０に送信する。ステップＳ８０８において、故障診断サーバ１０９は、故障が発見されなかったことを表す診断結果を作成し、故障診断対象車両１１０に送信する。なお、本説明では、車両が停止してしまうような深刻な故障が発生したものとし、ステップＳ６０２に進むものとする。
【００７０】
ステップＳ６０２において、車両用クライアント装置２００は、故障診断結果を入出力装置２７０に出力するとともに、修理を依頼するために車両情報を情報センターに送信してもよいかをドライバに問う画面を出力する。
【００７１】
図９は、本実施形態に係る車両情報の送信可否を決定するための画面例を示した図である。車両用クライアント装置２００は、車両用クライアント装置２００内のＲＯＭに記憶しておいた車両型式、車体番号、車両番号、所有者などに関する情報を読み出し、さらに、情報センター１００から受信した診断結果に記載されていた故障コードを読み出し、さらに、ＧＰＳセンサー２３１から出力された現在位置の情報を読み出して、送信可否の決定画面を作成し、入出力装置２７０に表示する。
【００７２】
ステップＳ６０４において、車両用クライアント装置２００は、入出力装置２７０から送信可を表す信号（例えば、図中の「はい」ボタンが押されたことを示す信号など）を受信すると、送信可と判定し、ステップＳ６０６へと進む。一方、送信不可を表す信号（例えば、図中の「いいえ」ボタンが押されたことを示す信号など）を受信した場合には、処理を終了する。
【００７３】
ステップＳ６０６において、車両用クライアント装置２００は、車両型式、車体番号、所有者に関する情報、診断結果に記載されていた故障コード、及び現在位置の情報を読み出して故障情報を作成し、情報センター１００の遠隔操作管理サーバ１０１へと送信する。この故障情報の送信は、修理業者への故障修理の申し込みとしての性質を有している。
【００７４】
ステップＳ６０８において、遠隔操作管理サーバ１０１は、車両用クライアント装置２００から送信された故障情報を、通信インタフェースを介して受信し、故障車両管理データベース１０３に格納する。
【００７５】
ステップＳ６１０において、遠隔操作管理サーバ１０１は、受信した故障コードに応じて故障対策案の選択メニューを作成する。図１０は、本実施形態に係る故障対策案の選択メニュー例を示した図である。この図では、エンジンや駆動系などの故障であって、走行不能といえるような故障コードが検出されたものとする。例えば、走行不能を表すメッセージ、サービス工場への連絡を促すメッセージが表示される。また、選択肢としては、サービス工場への連絡を遠隔管理サーバ１０１に指示すること、車を放置し修理又は移動を委託すること、及びドライバ自ら対処することが表示されている。各選択肢に対応して選択ボタンが表示され、押された選択ボタンに対応する処理が起動される。
【００７６】
ステップＳ６１２において、遠隔操作管理サーバ１０１は、作成された選択メニューを故障車両１１０の車両用クライアント装置２００に対して送信する。なお、選択メニューの送信とは、選択メニューを表示するための情報を送信することである。例えば、ＷＥＢベースのシステムであれば、ハイパーテキストマークアップ言語で記述されたファイルが送信されることになろう。
【００７７】
ステップＳ６１４において、車両用クライアント装置２００は、受信した選択メニューを形成するための情報（例：ＨＴＭＬファイルなど）を、ブラウザプログラムを用いて入出力装置２７０に表示する。
【００７８】
ステップＳ６１８において、車両用クライアント装置２００は、入出力装置２７０から入力された情報に基づいて、対応する故障対策案のコード（故障対策コード）を選択し、ＲＡＭに記憶する。ここでは、車の放置と修理の委託するための故障対策コード記憶されたものとする。
【００７９】
ステップＳ６２０において、車両用クライアント装置２００は、選択された故障対策の内容（故障対策コード）を遠隔操作管理サーバ１０１に送信する。
【００８０】
ステップＳ６２２において、遠隔操作管理サーバ１０１は、送信された故障対策の内容を受信し、いずれの故障対策が選択されたかを判定する。
【００８１】
ステップＳ６２４において、遠隔操作管理サーバ１０１は、故障車両１１０の現在位置情報を故障車両管理データベース１０３から読み出してこれを検索キーとし、故障車両１１０の現在位置に最も近い位置にサービス工場を開設している修理業者を、サービス工場管理データベース１０５から抽出する。最も近いかどうかは、故障車両１１０の現在位置情報と、サービス工場の位置情報（緯度経度など）とを比較し、両者の距離が最も近いものを選択する。この距離は、直線距離であれば計算が簡単である。一方、地図データベース１０６を利用して、道路情報を考慮した経路を求め、その経路が最短のサービス工場を抽出してもよい。
【００８２】
ステップＳ６２６において、遠隔操作管理サーバ１０１は、抽出されたサービス工場１２０に対して故障情報を含む修理依頼情報を送信する。この修理依頼情報は、修理の受託可否を選択するためのメニュー画面としてもよい。また、修理依頼情報を電子メールとして作成し、サービス工場の電子メールアドレスに対して送信してもよい。例えば、この電子メールには、リンク情報が含まれており、当該リンク情報がマウス等により指定されると、リンク先のＵＲＬにジャンプし、修理の受託可否を選択するためのメニュー画面が表示されてもよい。
【００８３】
ステップＳ６２８において、サービス工場用のクライアント装置１２１は、通信インタフェースを介して修理依頼情報を受信し、ディスプレイに表示する。図１１は、本実施形態に係る修理の受託可否を選択するためのメニュー画面の構成例を示す図である。車両型式、車体番号、所有者、故障コード及び故障場所などの基本的な故障情報とともに、修理の依頼を受託するかどうかの選択ボタンが表示される。
【００８４】
ステップＳ６３０において、サービス工場用のクライアント装置１２１は、マウスなどの入力装置から入力された受託可否に関する情報をＲＡＭに記憶する。
【００８５】
ステップＳ６３２において、サービス工場用のクライアント装置１２１は、ＲＡＭから受託可否に関する情報を読み出して、遠隔操作管理サーバ１０１に送信する。受託可否に関する情報には業者を識別するための番号（工場識別番号）が含まれている。
【００８６】
ステップＳ６３４において、遠隔操作管理サーバ１０１は、サービス工場用のクライアント装置１２１から受託可否に関する情報を受信する。
【００８７】
ステップＳ６３６において、遠隔操作管理サーバ１０１は、サービス工場用のクライアント装置１２１から受信した受託可否に関する情報に基づき、受託可能であるか否かを判定する。受託可能であれば、ステップＳ６３８に進む。一方、受託拒否であれば、新たなサービス工場を抽出すべく、ステップＳ６２４に戻る。
【００８８】
ステップＳ６３８において、遠隔操作管理サーバ１０１は、受託可能との情報を送信してきたサービス工場について、その名称、住所、電話番号、及びサービス担当者などの情報を、サービス工場管理データベース１０５から検索して抽出し、抽出された情報に基づいてサービス工場の紹介画面を作成し、作成された紹介画面に関する情報を故障車両１１０に送信する。なお、これらの情報は、予めサービス工場用のクライアント装置１２１からサービス工場管理データベース１０５に登録されているものとする。
【００８９】
図１２は、本実施形態に係るサービス工場の紹介画面の一例を示した図である。サービス工場の名称、住所、電話番号、及びサービス担当者など、ユーザがサービス工場を把握するのに役立つ情報が含まれていることがわかる。
【００９０】
ステップＳ６４０において、車両用クライアント装置２００は、通信インタフェースを介して紹介画面に関する情報を受信し、ＲＡＭに記憶させるとともに、入出力装置２７０に出力する。
【００９１】
ステップＳ６４２において、車両用クライアント装置２００は、認証用のＩＤとパスワードとを作成する画面を入出力装置２７０に表示し、入出力装置２７０から入力されたＩＤとパスワードとをＲＡＭに保存する。図１３は、本実施形態に係るＩＤ及びパスワードの設定画面の一例を示す図である。設定画面には、認証ＩＤ入力欄と、パスワードの入力欄とが設けられている。なお、車両用クライアント装置２００は、認証用のＩＤとパスワードと擬似乱数等により生成してもよい。この場合は、ユーザが入力する手間を省け、とりわけ急いでいるときには有効であろう。
【００９２】
ステップＳ６４４において、入出力装置２７０から情報センター１００への登録を指示する情報（「はい」ボタンの操作など）が入力されると、車両用クライアント装置２００は、ＲＡＭから認証ＩＤをパスワードとを読み出してＩＤ登録情報を作成し、情報センター１００の遠隔操作管理サーバ１０１に送信する。
【００９３】
ステップＳ６４６において、遠隔操作管理サーバ１０１はＩＤ登録情報を受信し、ＩＤとパスワードを読み出して、故障車両管理データベース１０３に書き込む。この際に、故障車両１１０と対応付けられてＩＤ等が記憶されることはいうまでもない。そして、遠隔操作管理サーバ１０１は、ＩＤ登録情報に基づいてＩＤとパスワードの通知画面を作成し、修理を受諾したサービス工場のクライアント装置１２１に送信する。図１４は、本実施形態に係るＩＤ・パスワードの通知画面の一例を示す図である。
【００９４】
ステップＳ６４８において、サービス工場用のクライアント装置１２１は、ＩＤ・パスワードの通知画面を受信する。なお、受信したＩＤ・パスワードの通知画面をディスプレイに表示したり、プリンターからプリントアウトしたりしてもよい。
【００９５】
ステップＳ６５０において、サービス工場用のクライアント装置１２１は、サービス担当者の携帯端末１２２に対して、ＩＤとパスワードを転送する。サービス工場用のクライアント装置１２１は、例えば、ＩＤとパスワードを記載した電子メールを作成し、サービス担当者の携帯端末１２２に割り当てられている電子メールアドレスに対して送信する。以上の手順により故障車両の修理依頼が実行される。
【００９６】
図１５は、本実施形態に係る遠隔操作処理の一例を示したフローチャートである。すなわち、サービス工場１２０に通知された故障車両についての情報に基づいて、サービス担当者が故障車両の放置場所に到着したものとして説明する。
【００９７】
ステップＳ１５００において、携帯電話等の担当者端末１２２は、サービス担当者によるキーパッドの操作に基づいてＩＤとパスワードとを入力し、担当者端末１２２のＲＡＭに記憶する。キーパッドは端末用の入力手段であり、文字などを入力する機器である。なお、情報センター１００の遠隔操作管理サーバ１０１が提供するＷＥＢページにアクセスすることで、ＩＤとパスワードの入力画面が担当者端末１２２のディスプレイに表示するようにしてもよい。また、担当者端末１２２は、ＩＤ等の他に故障車両を特定可能な情報（例えば、車両番号など）も同時に送信してもよい。
【００９８】
ステップＳ１５０２において、キーパッドからの送信指示に応じて、担当者端末１２２は、入力されたＩＤとパスワードをＲＡＭから読み出して、情報センター１００の遠隔操作管理サーバ１０１に送信する。
【００９９】
ステップＳ１５０４において、遠隔操作管理サーバ１０１は、ＩＤとパスワードを担当者の端末１２２から受信し、ＲＡＭに記憶する。
【０１００】
ステップＳ１５０６において、遠隔操作管理サーバ１０１は、受信したＩＤを検索キーとして、故障車両管理データベース１０３から対応するパスワードを読み出し、担当者端末１２２から受信したパスワードと一致するかを判定し、認証処理を実行する。認証に成功するとステップＳ１５０８に進む。
【０１０１】
ステップＳ１５０８において、遠隔操作管理サーバ１０１は、故障車両１１０を遠隔操作するための遠隔操作メニューを作成し、担当者端未１２２に送信する。図１６は、本実施形態に係る遠隔操作メニューの一例を示す図である。遠隔操作メニューには、少なくともドアロックの解除ボタンが含まれているが、イグニッション電源をオンにするためのＩＧオンボタンや、アクセサリー電源をオンにするためのＡＣＣオンボタンなどが含まれていてもよい。どのようなボタンを表示するかは、サービス工場に対してどこまで遠隔操作が許可されているかに依存する。この許可の情報は、車両用クライアント装置２００やユーザ端末１７０から、予め故障車両管理データベース１０３に登録されているものである。例えば、ドアロックの解除だけを許可するとか、遠隔操作管理サーバ１０１は、登録されている許可情報に基づいて遠隔操作メニューを作成する。
【０１０２】
ステップＳ１５１０において、担当者端末１２２は、遠隔操作メニューを表示するための情報を受信し、遠隔操作メニューをディスプレイに表示する。するとディスプレイには、図１６に例示した遠隔操作メニューが表示される。
【０１０３】
ステップＳ１５１２において、担当者端末１２２は、キーパッドの操作に応じて遠隔操作指示の選択処理を実行する。図１６に示した遠隔操作メニューの例では、ドアロック解除ボタンが操作されると、ドアロック解除指示が選択される。すなわち、ボタンのクリック操作に応じた操作指示コードが発行され、発行されたコードがＲＡＭに記憶される。ここでは、ドアロック解除が指定されてものとする。
【０１０４】
ステップＳ１５１４において、担当者端末１２２は、ＲＡＭに記憶された操作指示コード（例えば、ドアロックの解除指示コード）を読み出して、遠隔操作要求を作成し、遠隔操作管理サーバ１０１に送信する。
【０１０５】
ステップＳ１５１６において、遠隔操作管理サーバ１０１は、ドアロック解除要求などの遠隔操作要求を担当者端末１２２から受信し、ＲＡＭに記憶する。
【０１０６】
ステップＳ１５１８において、遠隔操作管理サーバ１０１は、ＲＡＭに記憶されている遠隔操作要求を読み出して、故障車両１１０用の遠隔操作指令（例えばドアロック解除指令など）を作成し、故障車両１１０に送信する。
【０１０７】
ステップＳ１５２０において、車両用クライアント装置２００は、ドアロック解除指令などの遠隔操作指令を、遠隔操作管理サーバ１０１から受信し、ＲＡＭに記憶する。
【０１０８】
ステップＳ１５２２において、車両用クライアント装置２００はＲＡＭから遠隔操作指令を読み出し、読み出された遠隔操作指令に対応する電子ユニットと制御命令とを決定し、決定された電子ユニットに対して制御命令を送信する。車両用クライアント装置２００のＲＯＭには、遠隔操作指令コード、電子ユニット及び制御命令とを関係付けたテーブルが予め記憶されている。電子ユニットはこの制御命令を受信して制御を実行する。例えば、遠隔操作指令がドアロックの解除であれば、車両用クライアント装置２００は、ドアロックユニット２１６に対して、ドアロック解除命令を送信し、ドアロックユニット２１６は、ドアロック解除命令を受信して、ドアロックを解除するようモータや電磁ユニットなどを駆動させる。以上の処理により遠隔操作が実現される。
【０１０９】
以上説明したように、本実施形態によれば、故障した車両のセキュリティーを担保しつつ、修理業者への故障の依頼を実現する遠隔故障診断システム、遠隔故障診断方法及び車両が実現される。
【０１１０】
即ち、遠隔操作管理サーバ１０１は、正しいＩＤとパスワードを入力できた者に対してのみ遠隔操作を許容し、認証情報が正規のものでなければ遠隔操作を拒絶することで、故障した車両のセキュリティーを担保しつつ、修理を依頼された者（車両の移動を依頼された者を含む。）が車両を遠隔操作できるようになる。
【０１１１】
また、ドアのアンロック、イグニッション電源のオン／オフ及びアクセサリー電源のオン／オフなどを修理業者の端末から実行できるようになるため、放置されていた故障車両の回収作業が可能となる。とりわけ、ドアを遠隔からアンロックできるようになるため、キーを車両に残しておく必要がなくなり、セキュリティーを向上させることができる。
【０１１２】
また、本実施形態では、故障車両が放置されている場所を修理業者に通知するため、修理業者が放置現場に到着しやすくなろう。
【０１１３】
また、故障車両の放置現場に近い修理業者が選定されるため、放置現場への到着時間は遠くの修理業者が駆けつける場合よりも一般には短くなり、修理業者にとっても都合がよい。また、ユーザにとっては早期に故障車両が修理業者に回収されることを期待できるといった安心感が得られることになろう。
【０１１４】
また、本実施形態では、故障車両の修理を、担当可能かどうか修理業者に問い合わせ、可能であれば認証情報を通知するため、修理を担当できる修理業者にのみ認証情報を公開することができる。また、放置現場に近い業者の都合が悪い場合には修理の依頼を断わることができ、都合の良い業者が修理を担当できる。また、修理の完了までの時間を短縮できる効果もあろう。
【０１１５】
また、本実施形態によれば、業者の端末に対して遠隔操作メニューが表示されるため、業者のサービススタッフは、遠隔操作可能な内容を一目で把握でき、操作もしやすいといった効果がある。
【０１１６】
［第２の実施形態］
本実施形態では、遠隔操作が実行された際に、遠隔操作の実行結果を故障車両のユーザに対して通知するものである。図１７は、第２の実施形態に係る遠隔操作の実行結果を通知する処理の一例を示したフローチャートである。第１の実施形態とほぼ同様の処理ついては同一の参照符号を付すことにより説明の重複がないように心がける。
【０１１７】
ステップＳ１７１２において、担当者端末１２２に表示された遠隔操作メニュー画面に従って複数の遠隔操作が選択され、選択された内容がＲＡＭに記憶される。
【０１１８】
図１８は、ステップＳ１５１０において表示される遠隔操作メニューの一例を示した図である。この遠隔操作メニューによれば、複数の遠隔操作指示を一度に指定できる利点がある。すなわち、各遠隔操作指示ごとに対応するチェックボックスを設け、ポインティングデバイスや、指でタッチパネルに触れることにより、チェックボックスに指定されたことを表すＸマークが表示され、最後に実行ボタンをクリックすることで、選択された一以上の遠隔操作指示が遠隔操作管理サーバ１０１に送信される。この例では、ドアロックの解除と、イグニッション電源の投入とが選択されている。
【０１１９】
その後、ステップＳ１５１４からＳ１５２０までの処理が実行され、ステップＳ１７２２へと進む。ステップＳ１７２２において、車両用クライアント装置２００はＲＡＭから遠隔操作指令を読み出し、読み出された遠隔操作指令に対応する電子ユニットと制御命令とをＲＯＭのテーブルを参照して決定し、決定された電子ユニットに対して制御命令を送信する。電子ユニットはこの制御命令を受信して制御を実行する。例えば、ドアロックの解除と、ＩＧオンが指定されていると判定すると、上述したフローでドアロックを解除し、一方で、イグニッション電源のスイッチをＯＦＦからＯＮへと切り替える。
【０１２０】
ステップＳ１７２４において、車両用クライアント装置２００は、制御した電子ユニットからの制御結果を検出又は受信するなどして、制御結果を示す情報を作成し、遠隔操作管理サーバ１０１に送信する。制御結果を示す情報には、故障車両を特定することが可能な情報（例えば車両番号など）が含まれている。また、車両用クライアント装置２００は、制御の実行された時刻を、内蔵タイマーから取得し、制御結果に含ませてもよい。
【０１２１】
ステップＳ１７２６において、遠隔操作管理サーバ１０１は、制御結果を示す情報をインターネット１３０介して受信し、ＲＡＭに記憶する。
【０１２２】
ステップＳ１７２８において、遠隔操作管理サーバ１０１は、制御結果を示す情報に含まれていた故障車両の車両番号などユーザを特定可能な情報に基づいて、顧客情報データベース１０２を検索し、ユーザの電子メールアドレスを抽出する。
【０１２３】
ステップＳ１７３０において、遠隔操作管理サーバ１０１は、ＲＡＭから制御結果を示す情報を読み出し、電子メールの本文情報を作成する。図１９は、第２の実施形態に係る制御結果報告の電子メールの一例を示した図である。この電子メールの本文には、制御結果情報に含まれている制御時刻、制御内容（ドアロックの解除やＩＧオンなど）が含まれている。また、故障車両データベース１０３からサービス担当者名を抽出して制御結果報告に含ませてもよい。なお、サービス担当者名は、予め修理を受諾したサービス工場のクライアント装置１２１から、故障車両データベース１０３に登録されているものとする。
【０１２４】
ステップＳ１７３２において、遠隔操作管理サーバ１０１は、ユーザの電子メールアドレスを宛先として、制御結果を報告するための電子メールを送信する。送信された電子メールはインターネット１３０を経由してユーザ端末１７０により受信され、表示される。
【０１２５】
以上のように本実施形態によれば、遠隔操作による制御結果をユーザ（車両の所有者やドライバなど）に通知することで、ユーザは、放置してきた故障車両の状況を把握でき、安心感を得られる利点がある。
【０１２６】
［第３の実施形態］
上述した実施形態では、修理担当者の端末１２２を通じて遠隔操作を実行するものであった。しかしながら、遠隔操作の実行は、ユーザ本人など他の者が実行してもよい。第３の実施形態では、ユーザの端末からの遠隔操作方法を開示するものである。
【０１２７】
例えば、担当者が故障車両の駐車現場に到着すると、ユーザと携帯電話で連絡を取り、ドアロックを解除するよう要請し、ユーザは自己の端末を操作してドアロックを解除し、これにより修理担当者が必要な作業を実行してもよい。あるいは、ドアロックの解除までは、修理担当者が上述の手順で実行できるようにしておき、イグニッション電源のＯＮなど、他の操作については、ユーザの端末からのみ遠隔操作するようにしてもよい。どのような遠隔操作を業者の端末から実行できるかは、上述の許可情報に基づいて決定することができ、この例では、ドアロックの解除のみが許可情報により許可されている。図１５及び図１７において説明した手順と同様の手順については同一の参照符号を付すことで説明を省略する。
【０１２８】
ステップＳ１５００において、ユーザ端末１７０は、キーパッドなどの入力部から入力された遠隔操作管理サーバ１０１のＵＲＬアドレスに基づき、遠隔操作管理サーバ１０１にアクセスする。遠隔操作管理サーバ１０１のＷＥＢサーバ機能により、当該ＵＲＬに対応するＷＥＢページがユーザ端末１７０に送信される。認証ＩＤとパスワードの入力ページがユーザ端末１７０のディスプレイに表示される。キーパッドから認証ＩＤとパスワード入力されると、ユーザ端末１７０は、遠隔操作管理サーバ１０１に、入力されたＩＤとパスワードを送信する。
【０１２９】
その後、ステップＳ１５０２からステップＳ１７３２まで、上述と同様の手順で遠隔操作の処理が実行される。すなわち、正しいＩＤとパスワードとが端末から遠隔操作管理サーバ１０１に入力される限り、担当者端末１２２であろうとユーザの端末１７０であろうと、同様に遠隔操作を指示できる利点がある。
【０１３０】
上述実施形態では、遠隔操作の実行結果を電子メールにて知らせていた。しかしながら、本実施形態では、操作者と実行結果の報告を受信する者とが同一であり、かつ、操作から報告までの処理は一連の操作であることから、遠隔装置管理サーバ１０１と端末との間は、すべてＷＥＢベースでシステムを構築することも可能である。
【０１３１】
図２０は、遠隔操作の実行結果をＷＥＢページとしてユーザ端末１７０に表示させるものである。ステップＳ２０２８において、遠隔操作管理サーバ１０１は、受信した実行結果に基づいて、ＷＥＢページを作成する。このＷＥＢページは、ＨＴＭＬなどのハイパーテキストマークアップ言語などに記述されたファイルとして作成される。
【０１３２】
ステップＳ２０３０において、遠隔操作管理サーバ１０１は、ハイパーテキスト転送プロトコルなどを用いて、ＷＥＰページを表示するために必要となる情報をユーザ端末１７０に送信する。
【０１３３】
ステップＳ２０３２において、ユーザ端末１７０は、ＷＥＢページ情報を受信し、ブラウザプログラムによりＷＥＢページ情報をディスプレイに表示する。
【０１３４】
以上説明したように、本実施形態によれば、ユーザの端末に対して遠隔操作メニューが表示されるため、ユーザは遠隔操作可能な内容を一目で把握でき、操作もしやすいといった効果がある。
【０１３５】
また、故障車両が修理業者のサービス工場に入庫された後は、ユーザだけが故障車両を遠隔から操作できるようにすることも可能になる。例えば、ドアのアンロックは修理業者も実行できるが、ＩＧオンなどの他の操作はユーザだけが指示してもよい。
【０１３６】
［第４の実施形態］
本実施形態では、業者への委託の無効化処理について説明する。この処理は、遠隔操作の無効化処理又は禁止処理と観念することできよう。
【０１３７】
図２１は、第４の実施形態に係る遠隔操作無効化処理の一例を示したフローチャートである。また、図２２は、第４の実施形態に係る遠隔操作メニューの一例を示す図である。なお、既に説明した処理と同様の処理については説明を省略する。
【０１３８】
ステップＳ１５１０において、ユーザ端末１７０は、遠隔操作メニューを表示するために必要となる情報（ＨＴＭＬファイルなど）を受信し、図２２に示されるような遠隔操作メニューを表示する。図２２からわかるように、委託無効ボタンが新たに設けられている。
【０１３９】
ステップＳ２１１２において、ユーザ端末１７０は、キーパッドの操作等に基づいて、委託操作ボタンが押されたことを検知し、委託無効を要求するための無効要求情報をＲＡＭに記憶する。なお、無効要求情報には、例えば、キーパッドなどから入力されら車両番号や認証ＩＤなど、無効化すべきＩＤを特定可能な情報が含まれていてもよい。
【０１４０】
ステップＳ２１１４において、ユーザ端末１７０は、無効要求情報を読み出して、遠隔操作管理サーバ１０１に送信する。
【０１４１】
ステップＳ２１１６において、遠隔操作管理サーバ１０１は、通信インタフェースを介して無効要求情報を受信しＲＡＭに記憶する。
【０１４２】
ステップＳ２１１８において、遠隔操作管理サーバ１０１は、無効要求情報に含まれているＩＤを読み出し、読み出されたＩＤを検索キーとして故障車両管理データベース１０３を検索し、対応するパスワード及びＩＤを削除する。ＩＤ等の削除処理に代えて、遠隔操作の無効を表す情報を、対象となる車両情報と対応付けて当該データベース１０３に書き込んでもよい。
【０１４３】
ステップＳ２１２０において、遠隔操作管理サーバ１０１は、無効化処理が完了したことを表す電子メールをユーザに送信する。電子メールに代えてＷＥＢページを送信してもよい。
【０１４４】
ステップＳ２１２２において、ユーザ端末１７０は、電子メール又はＷＥＢページを受信し、ディスプレイに表示する。
【０１４５】
以上説明したように、本実施形態によれば、ユーザ端末などから遠隔操作を禁止することができるようになる。例えば、認証情報を盗まれた可能性があれば、遠隔操作を禁止してセキュリティーを確保できる。
【０１４６】
［第５の実施形態］
第１の実施形態では、遠隔操作管理サーバ１０１により選定された修理業者をユーザが拒否することができなかった。
【０１４７】
そこで、本実施形態では、ユーザの都合に応じて修理業者を拒否し、他の修理業者を選択できるようにしたものである。なお、図６と同様の処理については説明を省略する。
【０１４８】
図２３は、第５の実施形態に係る遠隔操作の一例を示す図である。ステップＳ６４０においてサービス工場に関する情報を表示するとともに、表示されている修理業者へ正式に依頼するか否かを決定するための選択ボタンを表示する。選択ボタンの例は、図１２に示した「はい」ボタンや「いいえ」ボタンとしてもよい。
【０１４９】
ステップＳ２３００において、ユーザ端末１７０は、キーパッドからの入力情報に従い、表示された業者が依頼先として選択されたか否かを判定する。選択されていれば、陶業修理業者への修理を申し込むべく、ステップＳ６４２へと進む。拒否であれば、ステップＳ２３０２へと進む。
【０１５０】
ステップＳ２３０２において、ユーザ端末１７０は、サービス工場の再抽出依頼を遠隔操作管理サーバ１０１に対して送信する。
【０１５１】
ステップＳ２３０４において、サービス工場の再抽出依頼を遠隔操作管理サーバ１０１が受信すると、サービス工場の抽出処理（Ｓ６２４）を実行する。この再度の抽出処理の際には、ユーザにより拒否されたサービス工場が検索対象とならないことはいうまでもない。また、修理を拒否された業者に対しては、修理依頼のキャンセルを表す電子メールが送信される。
【０１５２】
以上の処理を、ユーザにより依頼先が決定されるまで繰り返すことで、ユーザの好みに応じた修理業者が選定される。例えば、放置現場に近い業者がシステムにより提案された場合であって、日頃から付き合いがあり信頼もおいている他の業者を指定することが可能となる。よって、ユーザは知り合いの業者が修理を担当することで、より安心感を得られよう。
【０１５３】
また、修理を受託可能な業者で、かつ、ユーザにより承諾された業者が選定されることにより、信頼のある業者に対して確実に修理を依頼できるようになる。例えば、受託不能な業者に修理を依頼してしまい修理を断わられ、他の業者を探すといった手間を省けよう。
【０１５４】
［第６の実施形態］
第６の実施形態によれば、業者が故障車両の放置現場に到着してから故障車両を遠隔操作できるようにするものである。なお、上述の実施形態と同様の処理については説明を省略する。ステップＳ１５００〜Ｓ１５１２までの処理が終了すると、ステップＳ２４１３へと進む。図２４は、第６の実施形態に係る遠隔操作の一例を示す図である。
【０１５５】
ステップＳ２４１３において、担当者端末１７０は、担当者端末１７０に搭載されているＧＰＳセンサーにより検出された緯度経度などの位置情報をＲＡＭから読み出す。なお、ＧＰＳセンサーを用いずとも、基地局側において位置情報を携帯電話に提供しているときは、基地局から提供された位置情報を受信しＲＡＭに書き込んでおいてもよい。
【０１５６】
ステップＳ２４１４において、担当者端末１７０は、ＲＡＭから位置情報と遠隔操作要求情報とを読み出して、遠隔操作管理サーバ１０１に送信する。
【０１５７】
ステップＳ２４１５において、遠隔操作管理サーバ１０１は、担当者端末１７０の位置情報と遠隔操作要求情報とを受信し、ＲＡＭに記憶する。
【０１５８】
ステップＳ２４１６において、遠隔操作管理サーバ１０１は、故障車両管理データベース１０３から、遠隔操作の対象となる故障車両１１０の位置情報を抽出する。この位置情報は、故障車両の放置現場の位置を表している。
【０１５９】
ステップＳ２４１７において、ＲＡＭから読み出された担当者端末１７０の位置情報と、抽出された故障車両１１０の位置情報とを比較する。比較の結果ほぼ一致していれば、ステップＳ１５１８に進む。一方、ほぼ一致しているといえなければ、ステップＳ２４１８に進む。ほぼ一致しているとは、両者の位置情報から両者間の距離を求め、その距離がある所定の距離以内にあることをいう。所定距離としては、１００ｍ以内など、位置情報の測位精度を考慮し、修理担当者が概ね放置現場に存在するといえる程度の距離に設定すればよい。
【０１６０】
ステップＳ２４１８において、遠隔操作管理サーバ１０１は、遠隔操作の拒否情報を担当者端末１７０に対して送信する。この拒否情報としては、「操作できません。」といった簡潔なメッセージであってもよいし、「故障車両の放置現場に到着してから遠隔操作を実行してください。」といった拒否の原因を示す情報を含めたものであってもよい。
【０１６１】
ステップＳ２４１９において、担当者端末１７０は、拒否情報を受信して、ディスプレイに表示する。
【０１６２】
以上のように、本実施形態によれば、業者が故障車両の放置現場に到着してから故障車両を遠隔操作できる。例えば、到着する前に誤ってドアがアンロックされてしまい、故障車両が盗難の危険にさらされるといったような危険性を低減できよう。
【０１６３】
［他の実施形態］
上述した実施形態のうち、ステップＳ６０２乃至Ｓ６４４までの処理は、ユーザ端末１７０から実行するようにしてもよい。この場合は、上述の説明における車両用クライアント装置２００との記載は、ユーザ端末１７０に置き換えられることになる。
【０１６４】
また、ステップＳ６４２のＩＤとパスワードの生成処理は、遠隔操作管理サーバ１０１が擬似乱数等により生成して、生成されたＩＤとパスワードとをユーザ端末１０１に送信するように構成してもよい。
【０１６５】
また、ステップＳ６２８乃至Ｓ６４８のサービス工場用クライアント装置１２１の処理はサービス担当者の端末１２２が実行してもよい。この場合は、上述の説明におけるサービス工場用クライアント装置１２１との記載は、担当者端末１７０に置き換えられることになる。
【０１６６】
また、上述の実施形態では、遠隔故障診断サーバ１０９が故障診断を実行していたが、車両用クライアント装置２００に、同様の処理を実行する故障診断プログラムを格納し、当該故障診断プログラムにより、故障を検出してもよい。
【０１６７】
また、上述の実施形態では、ＩＤ等を削除することで遠隔操作を禁止していたが、複数ある遠隔操作の一部を指定して遠隔操作を禁止してもよい。その場合、遠隔操作禁止指示には、禁止の対象となる遠隔操作を特定するためのコードが含まれることになろう。これにより、特定の遠隔操作のみを禁止することもできる。また、ＩＤ等を削除することで遠隔操作を禁止する以外にも、禁止対象となるＩＤによりログインしてきた端末から操作指示を受信した場合には、対応する制御命令の送信を実行しないように制御しても同等の効果が得られる。
【図面の簡単な説明】
【図１】図１は、本実施形態に係る遠隔操作システムの構成例を示した図である。
【図２】図２は、本実施形態に係る車両の構成例を示したブロック図である。
【図３】図３は、本実施形態にかかる顧客情報データベース１０２の構成例を示した図である。
【図４】図４は、本実施形態にかかる故障車両管理データベース１０３の構成例を示した図である。
【図５】図５は、本実施形態にかかるサービス工場管理データベース１０５の構成例を示した図である。
【図６】図６は、本実施形態に係る遠隔操作処理に関するフローチャートである。
【図７】図７は、本実施形態に係る遠隔故障診断システムの構成例を示す図である。
【図８】図８は、本実施形態に係る故障診断処理の例示的なフローチャートである。
【図９】図９は、本実施形態に係る車両情報の送信可否を決定するための画面例を示した図である。
【図１０】図１０は、本実施形態に係る故障対策案の選択メニュー例を示した図である。
【図１１】図１１は、本実施形態に係る修理の受託可否を選択するためのメニュー画面の構成例を示す図である。
【図１２】図１２は、本実施形態に係るサービス工場の紹介画面の一例を示した図である。
【図１３】図１３は、本実施形態に係るＩＤ及びパスワードの設定画面の一例を示す図である。
【図１４】図１４は、本実施形態に係るＩＤ・パスワードの通知画面の一例を示す図である。
【図１５】図１５は、本実施形態に係る遠隔操作処理の一例を示したフローチャートである。
【図１６】図１６は、本実施形態に係る遠隔操作メニューの一例を示す図である。
【図１７】図１７は、第２の実施形態に係る遠隔操作の実行結果を通知する処理の一例を示したフローチャートである。
【図１８】図１８は、ステップＳ１５１０において表示される遠隔操作メニューの一例を示した図である。
【図１９】図１９は、第２の実施形態に係る制御結果報告の電子メールの一例を示した図である。
【図２０】図２０は、遠隔操作の実行結果をＷＥＢページとしてユーザ端末１７０に表示させるものである。
【図２１】図２１は、第４の実施形態に係る遠隔操作無効化処理の一例を示したフローチャートである。
【図２２】図２２は、第４の実施形態に係る遠隔操作メニューの一例を示す図である。
【図２３】図２３は、第５の実施形態に係る遠隔操作の一例を示す図である。
【図２４】図２４は、第６の実施形態に係る遠隔操作の一例を示す図である。
【符号の説明】
１００…情報センター
１０１…遠隔操作管理サーバ
１０２…顧客情報データベース
１０３…故障車両管理データベース
１０５…サービス工場管理データベース
１０６…地図データベース
１１０…故障車両
１７０…ユーザ端末
１２０…サービス工場
１２１…サービス工場用クライアント
１２２…サービス担当者の端末
【図１】
2004299587.tif 000003
【図２】
2004299587.tif 000004
【図３】
2004299587.tif 000005
【図４】
2004299587.tif 000006
【図５】
2004299587.tif 000007
【図６】
2004299587.tif 000008
【図７】
2004299587.tif 000009
【図８】
2004299587.tif 000010
【図９】
2004299587.tif 000011
【図１０】
2004299587.tif 000012
【図１１】
2004299587.tif 000013
【図１２】
2004299587.tif 000014
【図１３】
2004299587.tif 000015
【図１４】
2004299587.tif 000016
【図１５】
2004299587.tif 000017
【図１６】
2004299587.tif 000018
【図１７】
2004299587.tif 000019
【図１８】
2004299587.tif 000020
【図１９】
2004299587.tif 000021
【図２０】
2004299587.tif 000022
【図２１】
2004299587.tif 000023
【図２２】
2004299587.tif 000024
【図２３】
2004299587.tif 000025
【図２４】
2004299587.tif 000026